(57)【要約】【課題】ビデオカメラにおいて、接続されるレンズアイリスの駆動コイル抵抗値を測定することで接続されたレンズアイリスの開閉制御を適切に行うこと。【解決手段】この発明に係るビデオカメラは、レンズが着脱自在に装着され、ガルバノメーター仕様のレンズアイリスを開閉制御するビデオカメラにおいて、接続されたレンズアイリスの駆動コイル抵抗値を測定する手段と、駆動コイル抵抗値の測定値に応じてレンズアイリス制御値のダイナミックレンジを決定する手段と、を備えたことを特徴とする。【選択図】        図１
2004207814.tif 000002
【特許請求の範囲】
【請求項１】
レンズが着脱自在に装着され、ガルバノメーター仕様のレンズアイリスを開閉制御するビデオカメラにおいて、
接続されたレンズアイリスの駆動コイル抵抗値を測定する手段と、
前記駆動コイル抵抗値の測定値に応じてレンズアイリス制御値のダイナミックレンジを決定する手段と、
を備えたことを特徴とするビデオカメラ。
【請求項２】
固体撮像素子（以下、ＣＣＤ）で撮像された映像信号を所定の映像信号に加工する映像処理ＣＰＵで定電流の駆動コイル抵抗値測定用信号を生成し、駆動コイル抵抗値に比例した電圧を前記映像処理ＣＰＵで検出することにより駆動コイル抵抗値を測定することを特徴とする請求項１に記載のビデオカメラ。
【請求項３】
前記映像処理ＣＰＵのＡ／Ｄコンバータ仕様の入力ポートを用いて、駆動コイル抵抗値を測定することを請求項２に記載のビデオカメラ。
【請求項４】
検出した前記駆動コイル抵抗値の測定値が大きい場合には、レンズアイリス制御値のダイナミックレンジを大きくし、抵抗値が小さい場合には、レンズアイリス制御値のダイナミックレンジを小さくすることを特徴とする請求項１に記載のビデオカメラ。
【請求項５】
アイリス制御信号生成部を有し、前記アイリス制御信号生成部に、駆動コイルを駆動する駆動電圧と前記駆動コイル抵抗値測定用信号とを切り換えるためのスイッチを設けたことを特徴とする請求項２に記載のビデオカメラ。
【請求項６】
ビデオカメラの操作者が、レンズアイリス制御値のダイナミックレンジを決定できるような機構を備えたことを特徴とする請求項１に記載のビデオカメラ。
【発明の詳細な説明】
【０００１】
【発明の属する技術分野】
この発明は、ガルバノメーター仕様のレンズアイリスを開閉制御する機構を備え、そのガルバノメーターの駆動コイル抵抗値を測定する機構を備えたビデオカメラに関するものである。
【０００２】
【従来の技術】
従来のビデオカメラは、ガルバノメーター仕様のアイリスを有するレンズと、映像信号を撮像する固体撮像素子（以下、ＣＣＤ）と、その映像信号を所定の映像信号に加工する映像処理ＣＰＵと、アイリス制御信号生成部と、により構成される。
【０００３】
ＣＣＤで撮像された映像信号が映像処理ＣＰＵにて所定の映像信号に加工され、映像出力として外部へ出力される。一方、映像処理ＣＰＵではＣＣＤからの映像信号を用いて画面内の輝度積分を行い、その積分値に比例した値をもつアイリス用輝度信号を生成する。
【０００４】
アイリス制御信号生成部では、アイリス用輝度信号と予め決められた基準輝度値を比較し、輝度信号の方が小さい場合にはガルバノメーターを開く方向、輝度信号の方が大きい場合にはガルバノメーターを閉じる方向に駆動コイルを動かす。
【０００５】
光量調整用の絞り羽根を駆動させる直流モータ部の駆動コイルを一辺とするブリッジ回路を構成し、このブリッジ回路の不平衡電圧を速度信号としてモータ部のサーボ補償を行うようにした光量制御装置において、ブリッジ回路のいずれか一辺を可変抵抗素子とし、ブリッジ回路の不平衡電圧の低域成分によって可変抵抗素子を制御し、不平衡電圧の高域成分をサーボ補償用の速度信号とする。このように低域成分の信号をコントロール信号として可変抵抗素子の抵抗値を変え、温度補償を行うものもある（例えば、特許文献１参照）。
【０００６】
【特許文献１】
特開平９−５１４７１号公報
【０００７】
【発明が解決しようとする課題】
従来のビデオカメラは以上のように構成されているので、アイリス用輝度信号と基準輝度値とを比較し誤差が０とするように電圧値にて駆動コイルの制御を行うため、組み合わされるレンズが変わった場合など駆動コイル抵抗値が変化した際に、ガルバノメーターの回転速度（アイリスの開閉速度）が変化してしまうことがあった。
【０００８】
また、駆動コイル抵抗値が変化することでガルバノメーターの回転速度が変化し、速くなる方向に変化した場合は制御の発振（通称ハンチングという）が発生し、遅くなる方向に変化した場合には撮像する被写体の輝度変化速度に追随できない不具合が発生することがあった。
【０００９】
直流モータでアイリス羽根を開閉させる機構をもつレンズの場合には、ブリッジ回路を使用してコイル抵抗値を検出することができるが、ガルバノメーター方式のレンズアイリスの場合にはこの方法が使えなかった。
【００１０】
この発明は上記のような問題点を解消するためになされたもので、ビデオカメラに接続されるレンズの駆動コイル抵抗値を自動判別し、抵抗値が変化しても一定の速度をもってガルバノメーターの制御を行うことにより、常に安定したアイリス制御を行うことができ、結果として常に適切な映像を出力するビデオカメラを提供することを目的とする。
【００１１】
【課題を解決するための手段】
この発明に係るビデオカメラは、レンズが着脱自在に装着され、ガルバノメーター仕様のレンズアイリスを開閉制御するビデオカメラにおいて、接続されたレンズアイリスの駆動コイル抵抗値を測定する手段と、駆動コイル抵抗値の測定値に応じてレンズアイリス制御値のダイナミックレンジを決定する手段と、を備えたことを特徴とする。
【００１２】
【発明の実施の形態】
以下、この発明の実施の形態を図面を参照して説明する。
実施の形態１．
図１、２は実施の形態１を示す図で、図１はビデオカメラの構成図、図２はビデオカメラにおけるアイリス制御信号生成部の構成図である。
図１に示すように、ビデオカメラは、ガルバノメーター仕様のアイリスを有するレンズ１と、映像信号を撮像するＣＣＤ２と、その映像信号を所定の映像信号に加工する映像処理ＣＰＵ３と、アイリス制御信号生成部４と、により構成される。
【００１３】
また、図２に示すように、アイリス制御信号生成部４は、駆動電圧生成部５とスイッチ１０とを有し、このスイッチ１０にガルバノメーター９を駆動する駆動コイル６が接続されると共に、制動コイル７と、制動コイル７にバイアス電圧を与えるバイアス用電圧源８が設けられている。
【００１４】
ＣＣＤ２で撮像された映像信号１００が映像処理ＣＰＵ３にて所定の映像信号に加工され、映像出力１０１として外部へ出力される。一方、映像処理ＣＰＵ３ではＣＣＤ２からの映像信号１００を用いて画面内の輝度積分を行い、その積分値に比例した値をもつアイリス用輝度信号１０４を生成する。また、映像処理ＣＰＵ３は、駆動コイル６の抵抗値を検出するための駆動コイル抵抗値検出用信号１０６を生成する。
【００１５】
ビデオカメラの電源立上げ時にスイッチ１０を駆動コイル抵抗値検出用信号１０６に切り換えるようにしておく。駆動コイル抵抗値検出用信号１０６は定電流となっており、抵抗値に比例した電圧を映像処理ＣＰＵ３にて検出することで駆動コイル６の抵抗値を検出することができるようになっている。具体的には映像処理ＣＰＵ３のＡ／Ｄコンバータ仕様の入力ポートを用いることで実現することができる。
【００１６】
映像処理ＣＰＵ３では検出した駆動コイル６の抵抗値に応じて、アイリス用輝度信号１０４のダイナミックレンジを決定できるようにしてある。具体的にはレンズアイリスが変わっても、アイリス用輝度信号１０４と輝度基準値１０５の誤差分に対する駆動コイル電流が一定となるように、検出した抵抗値が大きい場合にはアイリス用輝度信号１０４のダイナミックレンジを大きくし、抵抗値が小さい場合にはダイナミックレンジを小さくするようにする。
【００１７】
アイリス用輝度信号１０４のダイナミックレンジが決定したところでスイッチ１０を駆動電圧１０２側に切り換え、通常のアイリス制御の運用を行う。
【００１８】
通常のアイリス制御は、アイリス用輝度信号１０４を用い、制動コイル７からの制動電圧１０３を監視することでガルバノメーターの動きを検知し、駆動電圧１０２を生成しレンズアイリスを制御する。結果、適切な輝度を持った映像出力１０１が出力される。
詳しくは、アイリス制御信号生成部４では、アイリス用輝度信号１０４と予め決められた輝度基準値１０５を比較し、アイリス用輝度信号１０４の方が小さい場合にはガルバノメーター９を開く方向、アイリス用輝度信号１０４の方が大きい場合にはガルバノメーター９を閉じる方向に制動コイル７を動かすものである。
【００１９】
以上のように、この実施の形態によれば、取り付けレンズが変わっても制御時のアイリス開閉速度が一定となり、アイリス制御発振（ハンチング）を抑止でき、撮像する被写体の輝度変化速度にアイリス制御が追随できるようになる。
【００２０】
実施の形態２．
また、ビデオカメラの操作者が輝度信号のダイナミックレンジを選択できるようにしてもよい。状況に応じたアイリス開閉速度をビデオカメラの操作者が選択することができる。具体的には映像処理ＣＰＵ３に選択機能を持たせることで実現する。この場合、駆動コイル抵抗値を測定することにより映像処理ＣＰＵ３が決定したダイナミックレンジを画面に表示することで選択の目安をつけることができる。
【００２１】
【発明の効果】
以上のように、この発明によれば、接続されるガルバノメーター仕様のレンズアイリスの駆動コイル抵抗値を測定し、その抵抗値をもってアイリス用輝度信号のダイナミックレンジをカメラ自ら決定することでレンズアイリス制御速度を一定にすることができ、ハンチングや画面の輝度変化に追随できないといった不具合を解消できる効果がある。
【図面の簡単な説明】
【図１】実施の形態１を示す図で、ビデオカメラの構成図である。
【図２】実施の形態１を示す図で、ビデオカメラにおけるアイリス制御信号生成部の構成図である。
【符号の説明】
１  レンズ、２  ＣＣＤ、３  映像処理ＣＰＵ、４  アイリス制御信号生成部、５  駆動電圧生成部、６  駆動コイル、７  制動コイル、８  バイアス用電圧源、９  ガルバノメーター、１０  スイッチ、１００  映像信号、１０１  映像出力、１０２  駆動電圧、１０３  制動電圧、１０４  アイリス用輝度信号、１０５  輝度基準値、１０６  駆動コイル抵抗値検出用信号、１０７  駆動コイル入力信号。
【図１】
2004207814.tif 000003
【図２】
2004207814.tif 000004